(57)【要約】      （修正有）【課題】水着を着用時バストカップが伸縮性のある生地によって押しつぶされたり、下に引張られたりしないだけでなく、むしろ逆に上に引っ張り上げて中心に寄せて、なおかつふわふわした着心地が得られるようなタンクトップ水着を提供する。【解決手段】上端に一対の肩紐２，２を有する外着部１と、一対のカップ部４，４を有するバスト部と、ショーツ部７とからなり、バスト部はその両端部を外着部１の脇部内面に逢着し、ショーツ部７の上縁部には伸縮性材質で構成された胴着部９を設け、胴着部９の後身頃の上端部は外着部１の後身頃上端内周に沿って逢着し、胴着部９の前身頃の上縁部にはその上縁10aがカップ部４，４の下縁に位置させたバスト部のサポートパネル10を設け、サポートパネル10の上端に設けた紐部11,11を外着部1の一対の肩紐２，２の内面に縫着したタンクトップ水着。【選択図】図１
0003108985.tif 000002
【実用新案登録請求の範囲】
【請求項１】
上端に一対の肩紐を有する外着部と、一対のカップ部を有するバスト部と、ショーツ部とからなり、バスト部はその両端部を上記外着部の脇部内面に逢着し、ショーツ部の上縁部には伸縮性材質で構成された胴着部を設け、該胴着部の後身頃の上端部は上記外着部の後身頃上端内周に沿って逢着し、胴着部の前身頃の上縁部には上記バスト部のサポートパネルを設け、該サポートパネルの上端に設けた紐部を上記外着部の一対の肩紐の内面に縫着したことを特徴とするタンクトップ水着。
【請求項２】
上記サポートパネルの上縁をカップ部の下縁に沿って位置させるようにした請求項１記載のタンクトップ水着。
【考案の詳細な説明】
【技術分野】
【０００１】
この考案は、締め付け感がなく、しかもバストを寄せ上げて理想的なプロポーションを保持するようにしたタンクトップ水着に関するものである。
【背景技術】
【０００２】
従来ブラジャー付き水着としては、水着本体のバスト部の内側に、該水着本体とは独立に構成したブラジャーを相対移動可能に取り付けた女性用水着が提案されている（特開2000-303219公報）。
【０００３】
また、本願考案者は先にショーツ部の上方を延長して上縁部を形成し、該上縁部の後身頃の上端を外着部の後身頃の上端内周に逢着し、更に上記上縁部の前身頃の上記カップ部に当接する箇所を切り欠き、且つその上端を外着部の前身頃上端内周に縫着させたタンクトップ水着を提案した（実用新案登録第3078999号）。
【特許文献１】特開2000-303219公報、実用新案登録第3078999号
【考案の開示】
【考案が解決しようとする課題】
【０００４】
しかし、前者の水着に関しては独立に構成したブラジャーが水着本体に包囲されているため、バストアップしたプロポーションが得難いという欠点がある。
【０００５】
また、後者の水着に関しては表側の伸縮性のある生地がカップのまわりを切り欠いてあるため、着用時にカップが下に引き下げられることはないが、カップ即ちバストが上や中心に寄せ上げることはできなかった。
【０００６】
そこで、この考案は水着を着用時バストカップが伸縮性のある生地によって押しつぶされたり、下に引張られたりしないだけでなく、むしろ逆に上に引っ張り上げて中心に寄せて、なおかつふわふわした着心地が得られるようなタンクトップ水着を提案することを目的とする。
【課題を解決するための手段】
【０００７】
この考案は、上記実情に鑑み、上端に一対の肩紐を有する外着部と、一対のカップ部を有するバスト部と、ショーツ部部とからなり、バスト部はその両端部を上記外着部の脇部内面に逢着し、ショーツ部の上縁部には伸縮性の胴着部を設け、該胴着部の後身頃の上端部は上記外着部の後身頃上端内周に沿って逢着し、胴着部の前身頃の上縁部には上記バスト部のサポートパネルを設け、該サポートパネルの上端に設けた紐部を上記外着部の一対の肩紐の内面に縫着したタンクトップ水着を提案するものである。
【考案の効果】
【０００８】
即ち、この考案においてはショーツ部の上縁部には伸縮性材質で構成された胴着部が設けられ、該胴着部の後身頃の上端部を外着部の後身頃上端内周に沿って縫着してあるため、着用時において腹部を伸縮性材質で構成された胴着部で引き締められる。
【０００９】
しかも、バスト部の下縁部と胴着部の前身頃の上縁部は分離されているため、着用時にバスト部が胴着部により引き下げられることもない。
【００１０】
また、この考案では胴着部の前身頃の上縁部にバスト部のサポートパネルを設けるとともに、その上縁を上記カップ部の下縁に沿って位置させ、サポートパネルの上端に設けた紐部は外着部の一対の肩紐の内面に縫着されている。
【００１１】
具体的には、サポートパネルの上縁はカップ部の下縁、即ちカップ部の下辺縁から上辺縁を沿って斜め方向に引き上げて外着部の一対の肩紐の内面に逢着された紐部に連設されているため、着用時にカップ部はサポートパネルに引き上げられ、バストアップを図ることができる。
【００１２】
したがって、この考案においてはバストアップしたプロポーションを保持しつつ着用時においては水着本体に締め付けられるような窮屈な感じがなく、ふわふわした着心地が得られる。
【考案を実施するための最良の形態】
【００１３】
上端に一対の肩紐を有する外着部と、一対のカップ部を有するバスト部と、ショーツ部とからなり、バスト部はその両端部を上記外着部の脇部内面に逢着し、ショーツ部の上縁部には伸縮性材質で構成された胴着部を設け、該胴着部の後身頃の上端部は上記外着部の後身頃上端内周に沿って逢着し、胴着部の前身頃の上縁部にはその上縁が上記カップ部の下縁に位置させたバスト部のサポートパネルを設け、該サポートパネルの上端に設けた紐部を上記外着部の一対の肩紐の内面に縫着したタンクトップ水着。
【実施例１】
【００１４】
以下、この考案を図示の実施例に基づいて詳細に説明すると、１は上端に一対の肩紐２，２を有する外着部、３は一対のカップ部４，４を有するバスト部で、バスト部３はカップ部４，４の端部に強力パワーネット等の伸縮性布帛で構成されたサイドパネル５，５を逢着し、サイドパネル５，５とカップ部４，４の下端部にはゴム等の伸縮片６を設けて構成される。
【００１５】
そして、サイドパネル５と伸縮片６の両端部は外着部１の脇部内面に逢着される。
【００１６】
７はショーツ部で、その裏地を肌触りのよいサーテンネット地で構成して無理なくサポートするとともに、中央にはダイヤカット部８を設けて腹部の膨らみを抑えるようにしている。
【００１７】
９はショーツ部７の上縁部に延設された胴着部で、胴着部９は伸縮性材質、例えば肌触りのよいサーテンネット地で構成して無理なくサポートして腹部の膨らみを抑えるようにしている。
【００１８】
なお、胴着部９はその後身頃の上端部を外着部１の後身頃上端内周に沿って逢着される。
【００１９】
一方、10はその上端に一対の紐部11,11を有するバスト部３のサポートパネルであり、サポートパネル10はその下縁を胴着部９の前身頃の上縁部に逢着すると共に、その上縁10aをカップ部４，４の下縁に沿って位置させ、且つ紐部11,11の上端部を肩紐２，２の内周に逢着する。
【００２０】
この考案ではショーツ部７の上縁部にはサーテンネット地で構成された胴着部９が延設され、胴着部９の後身頃の上端部を外着部１の後身頃上端内周に沿って縫着してあるため、着用時において胴部乃至腹部がサーテンネット地で構成された胴着部９で引き締められる。
【００２１】
また、この考案ではバスト部３の下縁部と胴着部９の前身頃の上縁部は分離されているため、着用時にバスト部３が胴着部９により引き下げられることもない。
【００２２】
更に、この考案では胴着部９の前身頃の上縁部にバスト部３のサポートパネル10を設け、その上縁10aはカップ部４，４の下縁に沿って位置させると共に、サポートパネル10の上端に設けた紐部11,11は肩紐２，２の内面に縫着されている。
【００２３】
即ち、サポートパネル10の上縁10aはカップ部４，４の下辺縁から上辺縁を沿って斜め方向に引き上げて外着部１の一対の肩紐２，２の内面に逢着された紐部11,11に連設されているため、着用時にカップ部４，４はサポートパネル10に引き上げられ、バストアップを図ることができる。
【産業上の利用可能性】
【００２４】
以上要するに、この考案によればバストアップしたプロポーションを保持しつつ着用時においては締め付けられるような窮屈な感じがなく、ふわふわした着心地が得られるタンクトップ水着を提供できる。
【図面の簡単な説明】
【００２５】
【図１】この考案の一実施例を示す正面図
【図２】外着部を想像線で示した同上の正面図
【図３】図１におけるＡ−Ａ線断面図
【符号の説明】
【００２６】
１は外着部
２，２は肩紐
３はバスト部
４，４はカップ部
５，５はサイドパネル
６は伸縮片
７はショーツ部
８はダイヤカット部
９は胴着部
10,10はサポートパネル
10aはサポートパネルの上縁
11,11は紐部
【図１】
0003108985.tif 000003
【図２】
0003108985.tif 000004
【図３】
0003108985.tif 000005